(57)【特許請求の範囲】
【請求項１】
長方形の形状を有し、グランドパターンが前記長方形の一方の表面全面に形成されると共に前記長方形の一方の短辺に接続端子が設けられた実装基板と、
前記グランドパターン上に実装されると共に誘電体の表面に給電電極と放射電極とが設けられた直方体形状の逆Ｆアンテナとを具備する電子機器の拡張スロットに挿入されるＰＣカード型の無線通信装置であって、
前記逆Ｆアンテナは、前記実装基板の短辺の中央かつ前記実装基板の長辺の中央から前記実装基板の他方の短辺寄りに位置し、前記給電電極が前記実装基板の長辺側に向くように位置すると共に前記直方体の長辺が前記実装基板の長辺と平行になるように配置され、前記放射電極が前記実装基板の他方の短辺側に向くように位置するように配置されることを特徴とする無線通信装置。
【請求項２】
長方形の形状を有し、グランドパターンが前記長方形の一方の表面全面に形成されると共に前記長方形の一方の短辺に接続端子が設けられた実装基板と、
前記グランドパターン上に実装されると共に誘電体の表面に給電電極と放射電極とが設けられた直方体形状の逆Ｆアンテナとを具備する電子機器の拡張スロットに挿入されるＰＣカード型の無線通信装置であって、
前記逆Ｆアンテナは、前記長方形の前記実装基板の短辺の中央から他方の長辺寄りかつ前記実装基板の長辺の中央から前記接続端子と逆の短辺寄りに位置し、前記給電電極が前記接続端子側に向くように位置すると共に前記直方体の長辺が前記実装基板の短辺と平行になるように配置され、前記放射電極が前記実装基板の長辺側に向くように位置するように配置されることを特徴とする無線通信装置。
【請求項３】
前記逆Ｆアンテナは、前記接続端子とは逆の前記実装基板の短辺から２ｍｍ〜３０ｍｍ離れて位置することを特徴とする請求項１記載の無線通信装置。
【請求項４】
前記逆Ｆアンテナは、前記接続端子とは逆の前記実装基板の短辺から２ｍｍ〜２０ｍｍ離れると共に前記接続端子に対して前記実装基板の左側となる長辺から０ｍｍ〜１０ｍｍの範囲で離れて位置し、前記給電電極は、前記接続端子側の前記逆Ｆアンテナの側面の右辺に沿って設けられることを特徴とする請求項２記載の無線通信装置。
【請求項５】
前記逆Ｆアンテナは、前記接続端子とは逆の前記実装基板の短辺から２ｍｍ〜２０ｍｍ離れると共に前記接続端子側に対して前記実装基板の右側となる長辺から０ｍｍ〜１０ｍｍの範囲で離れて位置し、前記給電電極は、前記接続端子側の前記逆Ｆアンテナの側面の左辺に沿って設けられることを特徴とする請求項２記載の無線通信装置。
【発明の詳細な説明】
【技術分野】
【０００１】
本発明は、無線通信装置に関する。
【背景技術】
【０００２】
無線通信装置として、筐体内にアンテナを内蔵し、パーソナルコンピュータ等の拡張スロットに装着して使用されるＰＣカードが実用化されている。このアンテナ内蔵タイプのＰＣカードは、可動式の外部アンテナを備えたＰＣカードの廉価版として開発されたものであり、高価な外部アンテナに代えて比較的廉価な内蔵アンテナを用いることによりコストダウンを図っている。
下記特許文献１には、このようなＰＣカードに関連する技術として、アンテナ部の下方側に間隔を介すると共にアンテナ部とオーバラップする状態でグランド板が配置されたアンテナ装置が開示されている。下記特許文献１のアンテナ装置では、グランド板に対してアンテナ部の反対側となる対称位置にアンテナ部の電気影像が生じる。これにより、このアンテナ装置は、垂直モノポールアンテナが設けられている状態と等価の状態となる。
また、特許文献２には、同様にＰＣカードに関連する技術として、放射電極を特殊な形状にすることによって放射電極と接地導体層との距離を短くし、放射電極と接地導体層の間に大きな容量成分を発生させることにより動作周波数を下げることが出来る為、表面実装アンテナを構成する誘電体等を大きくすることなく小型のアンテナ装置として動作することが可能となる技術が開示されている。
【特許文献１】特開２００２−３３６２０号公報
【特許文献２】特開２００４−１８０１６７号公報
【発明の開示】
【発明が解決しようとする課題】
【０００３】
ところで、上記内蔵アンテナを用いたＰＣカード型の無線通信装置は、可動式の外部アンテナを備えたものに比べて放射電波の垂直偏波成分の強度が低い。ＰＣカード型の無線通信装置は主に垂直偏波の電波を送受信するので、本来は垂直偏波成分の強度を大きくする必要があるが、上記内蔵アンテナを用いたＰＣカード型の無線通信装置では、垂直偏波成分の強度をある程度犠牲にして低価格化を図っている。
しかしながら、ＰＣカード型の無線通信装置として安定した無線品質を実現するためには、内蔵アンテナを用いながらも垂直偏波成分の強度をより高くする必要がある。
【０００４】
本発明は、上述した事情を鑑みたものであり、内蔵アンテナを用いたＰＣカード型の無線通信装置であって、放射電波の垂直偏波成分の強度を従来よりも高くすることができる無線通信装置を提供することを目的とする。
【課題を解決するための手段】
【０００５】
本発明では、無線通信装置に係る第１の解決手段として、長方形の形状を有し、グランドパターンが前記長方形の一方の表面全面に形成されると共に前記長方形の一方の短辺に接続端子が設けられた実装基板と、前記グランドパターン上に実装されると共に誘電体の表面に給電電極と放射電極とが設けられた直方体形状の逆Ｆアンテナとを具備する電子機器の拡張スロットに挿入されるＰＣカード型の無線通信装置であって、前記逆Ｆアンテナは、前記実装基板の短辺の中央かつ前記実装基板の長辺の中央から前記実装基板の他方の短辺寄りに位置し、前記給電電極が前記実装基板の長辺側に向くように位置すると共に前記直方体の長辺が前記実装基板の長辺と平行になるように配置され、前記放射電極が前記実装基板の他方の短辺側に向くように位置するように配置されるという手段を採用する。
【０００６】
本発明では、無線通信装置に係る第２の解決手段として、長方形の形状を有し、グランドパターンが前記長方形の一方の表面全面に形成されると共に前記長方形の一方の短辺に接続端子が設けられた実装基板と、前記グランドパターン上に実装されると共に誘電体の表面に給電電極と放射電極とが設けられた直方体形状の逆Ｆアンテナとを具備する電子機器の拡張スロットに挿入されるＰＣカード型の無線通信装置であって、前記逆Ｆアンテナは、前記長方形の前記実装基板の短辺の中央から他方の長辺寄りかつ前記実装基板の長辺の中央から前記接続端子と逆の短辺寄りに位置し、前記給電電極が前記接続端子側に向くように位置すると共に前記直方体の長辺が前記実装基板の短辺と平行になるように配置され、前記放射電極が前記実装基板の長辺側に向くように位置するように配置されるという手段を採用する。
【０００７】
本発明では、無線通信装置に係る第３の解決手段として、上記第１の解決手段において、前記逆Ｆアンテナは、前記接続端子とは逆の前記実装基板の短辺から２ｍｍ〜３０ｍｍ離れて位置するという手段を採用する。
【０００８】
本発明では、無線通信装置に係る第４の解決手段として、上記第２の解決手段において、前記逆Ｆアンテナは、前記接続端子とは逆の前記実装基板の短辺から２ｍｍ〜２０ｍｍ離れると共に前記接続端子側から見て前記実装基板の左側となる長辺から０ｍｍ〜１０ｍｍの範囲で離れて位置し、前記給電電極は、前記接続端子側の前記逆Ｆアンテナの側面の右辺に沿って設けられるという手段を採用する。
【０００９】
本発明では、無線通信装置に係る第５の解決手段として、上記第２の解決手段において、前記逆Ｆアンテナは、前記接続端子とは逆の前記実装基板の短辺から２ｍｍ〜２０ｍｍ離れると共に前記接続端子側から見て前記実装基板の右側となる長辺から０ｍｍ〜１０ｍｍの範囲で離れて位置し、前記給電電極は、前記接続端子側の前記逆Ｆアンテナの側面の左辺に沿って設けられるという手段を採用する。
【発明の効果】
【００１０】
本発明によれば、無線通信装置は、長方形の形状を有し、グランドパターンが表面全体に形成されると共に一方の短辺に接続端子が設けられた実装基板と、実装基板のグランドパターン上に実装されると共に表面に給電電極が設けられた直方体形状の逆Ｆアンテナとを具備し、前記逆Ｆアンテナは、実装基板の短辺の中央かつ長辺の中央から他方の短辺よりに位置し、給電電極が実装基板の長辺側に位置すると共に自らの長辺が実装基板の長辺と平行になるように配置されるので、放射電波の垂直偏波成分の強度を従来よりも高くすることができる。
【００１１】
また、本発明によれば、無線通信装置は、グランドパターンを表面層の全面に占めると共に長方形の形状の短辺を接続端子とする実装基板と、
長方形の形状を有し、グランドパターンが一方の表面全面に形成されると共に一方の短辺に接続端子が設けられた実装基板と、前記グランドパターン上に実装されると共に表面に給電電極が設けられた直方体形状の逆Ｆアンテナとを具備し、前記逆Ｆアンテナは、長方形の前記実装基板の短辺の中央から他方の長辺よりかつ長辺の中央から前記接続端子と逆の短辺よりに位置し、前記給電電極が前記接続端子側に位置すると共に自らの長辺が前記実装基板の短辺と平行になるように配置されので、放射電波の垂直偏波成分の強度を従来よりも高くすることができる。
【発明を実施するための最良の形態】
【００１２】
以下、図面を参照して、本発明の実施形態について説明する。本実施形態は、ＰＣＭＣＩＡ（Personal Computer Memory Card International Association）の規格に準拠すると共に筐体内にアンテナを内蔵するアンテナ内蔵ＰＣ（Personal Computer）カード等に関する。なお、本実施形態におけるアンテナ内蔵ＰＣカードは、本発明における無線通信装置である。
【００１３】
〔第１実施形態〕
最初に、本発明の第１実施形態について説明する。
図１は、第１実施形態に係るアンテナ内蔵ＰＣカードＡの筐体をはずした内部概略構成を示す斜視図である。本アンテナ内蔵ＰＣカードＡは、図示するように、ノート型パーソナルコンピュータＰ（電子機器）のＰＣカードスロット１０（拡張スロット）に挿入され、垂直偏波の電波を用いて外部器機と無線通信を行う。
【００１４】
アンテナ内蔵ＰＣカードＡは、実装基板１及び逆Ｆアンテナ２、また外装部品としての筐体（図示略）から構成されている。
実装基板１は、長さ１２５ｍｍ×幅４８ｍｍの長方形の４層基板であり、表面層から順番にグランドパターン、信号パターン（２層）及び電源パターンが形成されていると共に、一方の短辺に接続端子１ｅが設けられている。
なお、以下の説明では、実装基板１において、上記接続端子１ｅとは逆側の短辺（他方の短辺）を実装基板上辺１ａ、接続端子側が設けられている短辺を実装基板下辺１ｂ、実装基板下辺１ｂに向かって右側の辺を実装基板右辺１ｃ、実装基板右辺１ｃの逆側の辺を実装基板左辺１ｄと呼ぶものとする。
図２は、上記グランドパターンを示す図である。図２に示すように、グランドパターンは、実装基板１の表面全体に形成されており、逆Ｆアンテナ２は、このグランドパターン上に実装されている。
【００１５】
逆Ｆアンテナ２は、無線通信によって外部の基地局（図示略）と信号の送受信する為のアンテナであり、長さ１７ｍｍ×幅５ｍｍ×高さ６ｍｍの直方体の誘電体２ａから構成され、誘電体２ａの上側面の長さ１７ｍｍの辺が実装基板右辺１ｃと平行になるように配置されている。この逆Ｆアンテナ２には、銅箔等から構成される給電電極２ｂが実装基板左辺１ｄを向くように設けられ、また放射電極２ｃが誘電体２ａに設けられている。なお、誘電体２ａの比率電率は約６．７である。
【００１６】
また、逆Ｆアンテナ２は、実装基板１のグランドパターン上の実装基板上辺１ａから２ｍｍ、実装基板右辺１ｃから２１．５ｍｍ及び実装基板左辺１ｄから２１．５ｍｍ離れた位置に実装されている。
図３は、上記構成の本アンテナ内蔵ＰＣカードＡの水平偏波及び垂直偏波の放射特性のシミュレーション結果を示す放射特性図である。なお、シミュレーションに用いた周波数は、概ね１．９ＧＨｚである。そして、シミュレーションに基づく放射特性図に示される方角０度は実装基板右辺１ｃの方角であり、方角９０度は実装基板上辺１ａの方角であり、方角−９０度は実装基板下辺１ｂの方角であり、方角−１８０度は実装基板左辺１ｄの方角である。
【００１７】
この図３の放射特性図の特徴は、順来のアンテナ内蔵ＰＣカードＮの水平偏波及び垂直偏波の放射特性のシミュレーション結果と比較して説明するが、その為に図４に示す従来のアンテナ内蔵ＰＣカードＮの筐体をはずした内部概略構成を示す斜視図を参照し、アンテナ内蔵ＰＣカードＮの構成を説明する。
【００１８】
アンテナ内蔵ＰＣカードＮは、実装基板３及びアンテナ４が設けられている。実装基板３は、実装基板１と同様に長さ１２５ｍｍ×幅４８ｍｍの長方形の４層基板である。そして、実装基板１と同様に、実装基板３では、接続端子３ｅとは逆側の短辺を実装基板上辺３ａ、接続端子側が設けられている短辺を実装基板下辺３ｂ、実装基板下辺３ｂに向かって右側の辺を実装基板右辺３ｃ、実装基板右辺３ｃの逆側の辺を実装基板左辺３ｄと呼ぶものとする。図５は、アンテナ内蔵ＰＣカードＮの実装基板３のグランドパターンを示す図である。図５に示すように、アンテナ４が実装される実装基板上辺３ａ辺りの実装基板３はプリント基板がむき出しになっており、実装基板３のその他の部分には、グランドンパターンが形成されている。
【００１９】
アンテナ４は、無線通信によって外部の基地局（図示略）と信号の送受信する為の長さ４ｍｍ×幅１０ｍｍ×高さ６ｍｍの誘電体４ａによって構成されるモノポールアンテナである。このアンテナ４は、１０ｍｍの幅を持つ辺が実装基板上辺３ａと平行になる向きに配置されると共に実装基板上辺３ａに接するように実装基板右辺１ｃから１９ｍｍ及び実装基板左辺１ｄから１９ｍｍ離れた位置に実装されている。図６は、上記構成のアンテナ内蔵ＰＣカードＮの水平偏波及び垂直偏波の放射特性のシミュレーション結果を示す放射特性図である。なお、シミュレーションに基づく放射特性図に示される方角０度は実装基板右辺３ｃの方角であり、方角９０度は実装基板上辺３ａの方角であり、方角−９０度は実装基板下辺３ｂの方角であり、方角−１８０度は実装基板左辺３ｄの方角である。
【００２０】
図３の本アンテナ内蔵ＰＣカードＡの放射特性は、図６のアンテナ内蔵ＰＣカードＮの放射特性と比較して、あきらかに垂直偏波成分が大きくなると共に水平偏波成分が小さくなっている。本アンテナ内蔵ＰＣカードＡの垂直偏波強度は、−１．３ｄＢｉであり、アンテナ内蔵ＰＣカードＮの垂直偏波強度は、−１２ｄＢｉである。
なお、偏波強度とは、シミュレーション結果に基づく各方角の平均値を示している。また、放射特性図の外周は、４ｄＢｉとしている。
【００２１】
このような第1実施形態によれば、実装基板１のグランドパターン上に、逆Ｆアンテナ２が、誘電体２ａの上側面の長さ１７ｍｍの辺が実装基板右辺１ｃと平行になると共に給電電極２ｂが実装基板左辺１ｄ側に向くように配置され、実装基板上辺１ａから２ｍｍ、実装基板右辺１ｃから２１．５ｍｍ及び実装基板左辺１ｄから２１．５ｍｍ離れた位置に実装されることにより、つまり実装基板１に対する逆Ｆアンテナ２の位置と姿勢とを垂直偏波成分の強度が大きくなるように最適化することにより、垂直偏波成分の強度を従来のアンテナ内蔵ＰＣカードＮよりも高くすることができる。
【００２２】
〔第２実施形態〕
次に、第２実施形態について説明する。
図７は、第２実施形態に係るアンテナ内蔵ＰＣカードＢの筐体をはずした内部概略構成を示す斜視図である。本アンテナ内蔵ＰＣカードＢは、第１実施形態のアンテナ内蔵ＰＣカードＡと逆Ｆアンテナ２の実装基板上の位置が相違する。したがって、本アンテナ内蔵ＰＣカードＢにおいて第1実施形態のアンテナ内蔵ＰＣカードＡと同一の機能構成要素には同一符号を付し、説明を省略する。
【００２３】
逆Ｆアンテナ２は、実装基板１のグランドパターン上の実装基板上辺１ａから３０ｍｍ、実装基板右辺１ｃから２１．５ｍｍ及び実装基板左辺１ｄから２１．５ｍｍ離れた位置に実装されている。
【００２４】
図８は、上記構成の本アンテナ内蔵ＰＣカードＢの水平偏波及び垂直偏波の放射特性のシミュレーション結果を示す放射特性図である。
図８の本アンテナ内蔵ＰＣカードＢの放射特性は、図６のアンテナ内蔵ＰＣカードＮの放射特性と比較して、あきらかに垂直偏波成分が大きくなると共に水平偏波成分が小さくなっている。なお、本アンテナ内蔵ＰＣカードＢの垂直偏波強度は、−１．７ｄＢｉである。
【００２５】
このような第２実施形態によれば、実装基板１のグランドパターン上に、逆Ｆアンテナ２が、誘電体２ａの上側面の長さ１７ｍｍの辺が実装基板右辺１ｃと平行になると共に給電電極２ｂが実装基板左辺１ｄ側に向くように配置され、実装基板上辺１ａから３０ｍｍ、実装基板右辺１ｃから２１．５ｍｍ及び実装基板左辺１ｄから２１．５ｍｍ離れた位置に実装されることにより、つまり実装基板１に対する逆Ｆアンテナ２の位置と姿勢とを垂直偏波成分の強度が大きくなるように最適化することにより、垂直偏波成分の強度を従来のアンテナ内蔵ＰＣカードＮよりも高くすることができる。
【００２６】
〔第３実施形態〕
次に、第３実施形態について説明する。
図９は、第３実施形態に係るアンテナ内蔵ＰＣカードＣの筐体をはずした内部概略構成を示す斜視図である。本アンテナ内蔵ＰＣカードＣは、第１実施形態のアンテナ内蔵ＰＣカードＡと逆Ｆアンテナ２の向き及び実装基板上の位置が相違する。したがって、本アンテナ内蔵ＰＣカードＣにおいて第1実施形態のアンテナ内蔵ＰＣカードＡと同一の機能構成要素には同一符号を付し、説明を省略する。
【００２７】
本アンテナ内蔵ＰＣカードＣは、実装基板１及び逆Ｆアンテナ２が設けられている。
逆Ｆアンテナ２は、誘電体２ａの上側面の長さ１７ｍｍの辺が実装基板下辺１ｂと平行になると共に給電電極２ｂが実装基板下辺側へ向くように配置される。なお、給電電極２ｂは、実装基板左辺１ｄから１５．５ｍｍ離れて位置している。
また、この逆Ｆアンテナ２は、実装基板１のグランドパターン上の実装基板上辺１ａから２０ｍｍ及び実装基板左辺１ｄから０ｍｍ〜１０ｍｍの範囲で離れて実装されている。
【００２８】
図１０は、上記構成の本アンテナ内蔵ＰＣカードＣの水平偏波及び垂直偏波の放射特性のシミュレーション結果を示す放射特性図である。
図１０の本アンテナ内蔵ＰＣカードＣの放射特性は、図６のアンテナ内蔵ＰＣカードＮの放射特性と比較して、あきらかに垂直偏波成分が大きくなると共に水平偏波成分が小さくなっている。なお、本アンテナ内蔵ＰＣカードＣの垂直偏波強度は、−０．５ｄＢｉである。
【００２９】
このような第３実施形態によれば、実装基板１のグランドパターン上に、逆Ｆアンテナ２は、誘電体２ａの上側面の長さ１７ｍｍの辺が実装基板下辺１ｂと平行になると共に給電電極２ｂが実装基板下辺側へ向くように配置され、実装基板上辺１ａから２０ｍｍ及び実装基板左辺１ｄから０ｍｍ〜１０ｍｍの範囲で離れて実装されることにより、つまり実装基板１に対する逆Ｆアンテナ２の位置と姿勢とを垂直偏波成分の強度が大きくなるように最適化することにより、垂直偏波成分の強度を従来のアンテナ内蔵ＰＣカードＮよりも高くすることができる。
【００３０】
〔第４実施形態〕
次に、第３実施形態について説明する。
図１１は、第４実施形態に係るアンテナ内蔵ＰＣカードＤの筐体をはずした内部概略構成を示す斜視図である。本アンテナ内蔵ＰＣカードＤは、第３実施形態のアンテナ内蔵ＰＣカードＣと逆Ｆアンテナ２の給電電極の位置及び実装基板上の位置が相違する。したがって、本アンテナ内蔵ＰＣカードＤにおいて第３実施形態のアンテナ内蔵ＰＣカードＤと同一の機能構成要素には同一符号を付し、説明を省略する。
【００３１】
本アンテナ内蔵ＰＣカードＤ、実装基板１及び逆Ｆアンテナ２が設けられている。
逆Ｆアンテナ２は、誘電体２ａの上側面の長さ１７ｍｍの辺が実装基板下辺１ｂと平行になると共に給電電極２ｂが実装基板下辺側へ向くように配置される。そしてこの逆Ｆアンテナ２の給電電極２ｂは、第３実施形態のアンテナ内蔵ＰＣカードＣとは異なり、実装基板下辺１ｂ側の誘電体２ａ側面の左辺に沿って設けられる。なお、給電電極２ｂは、実装基板右辺１ｃから１５．５ｍｍ離れて位置している。
また、この逆Ｆアンテナ２は、実装基板１のグランドパターン上の実装基板上辺１ａから２０ｍｍ及び実装基板左辺１ｄから０ｍｍ〜１０ｍｍの範囲で離れた位置に実装されている。
【００３２】
図１２は、上記構成の本アンテナ内蔵ＰＣカードＤの水平偏波及び垂直偏波の放射特性のシミュレーション結果を示す放射特性図である。
図１２の本アンテナ内蔵ＰＣカードＤの放射特性は、図６のアンテナ内蔵ＰＣカードＮの放射特性と比較して、あきらかに垂直偏波成分が大きくなると共に水平偏波成分が小さくなっている。なお、本アンテナ内蔵ＰＣカードＤの垂直偏波強度は、−０．９ｄＢｉである。
【００３３】
このような第４実施形態によれば、実装基板１のグランドパターン上に、逆Ｆアンテナ２は、誘電体２ａの上側面の長さ１７ｍｍの辺が実装基板下辺１ｂと平行になると共に給電電極２ｂが実装基板下辺側へ向くように配置され、逆Ｆアンテナ２の給電電極２ｂは実装基板下辺１ｂ側の誘電体２ａ側面の左辺に沿って設けられ、そして逆Ｆアンテナ２は実装基板上辺１ａから２０ｍｍ及び実装基板左辺１ｄから０ｍｍ〜１０ｍｍの範囲で離れた位置に実装されることにより、つまり実装基板１に対する逆Ｆアンテナ２の位置と姿勢とを垂直偏波成分の強度が大きくなるように最適化することにより、垂直偏波成分の強度を従来のアンテナ内蔵ＰＣカードＮよりも高くすることができる。
【図面の簡単な説明】
【００３４】
【図１】本発明の第１実施形態に係るアンテナ内蔵ＰＣカードＡの筐体をはずした内部概略構成を示す斜視図である。
【図２】本発明の第１実施形態に係るアンテナ内蔵ＰＣカードＡの実装基板１のグランドパターンを示す図である。
【図３】本発明の第１実施形態に係るアンテナ内蔵ＰＣカードＡの水平偏波及び垂直偏波の放射特性のシミュレーション結果を示す放射特性図である。
【図４】従来のアンテナ内蔵ＰＣカードＮの筐体をはずした内部概略構成を示す斜視図である。
【図５】従来のアンテナ内蔵ＰＣカードＮの実装基板３のグランドパターンを示す図である。
【図６】従来のアンテナ内蔵ＰＣカードＮの水平偏波及び垂直偏波の放射特性のシミュレーション結果を示す放射特性図である。
【図７】本発明の第２実施形態に係るアンテナ内蔵ＰＣカードＢの筐体をはずした内部概略構成を示す斜視図である。
【図８】本発明の第２実施形態に係るアンテナ内蔵ＰＣカードＢの水平偏波及び垂直偏波の放射特性のシミュレーション結果を示す放射特性図である。
【図９】本発明の第３実施形態に係るアンテナ内蔵ＰＣカードＣの筐体をはずした内部概略構成を示す斜視図である。
【図１０】本発明の第３実施形態に係るアンテナ内蔵ＰＣカードＣの水平偏波及び垂直偏波の放射特性のシミュレーション結果を示す放射特性図である。
【図１１】本発明の第４実施形態に係るアンテナ内蔵ＰＣカードＤの筐体をはずした内部概略構成を示す斜視図である。
【図１２】本発明の第４実施形態に係るアンテナ内蔵ＰＣカードＤの水平偏波及び垂直偏波の放射特性のシミュレーション結果を示す放射特性図である。
【符号の説明】
【００３５】
Ａ，Ｂ，Ｃ，Ｄ，Ｎ…アンテナ内蔵ＰＣカード、Ｐ…ノート型パーソナルコンピュータ、１，３…実装基板、１ａ，３ａ…実装基板上辺、１ｂ，３ｂ…実装基板下辺、１ｃ，３ｃ…実装基板右辺、１ｄ，３ｄ…実装基板左辺、１ｅ，３ｅ…接続端子、２…逆Ｆアンテナ、２ａ…誘電体、２ｂ…給電電極、２ｃ…放射電極、４…アンテナ、４ａ…誘電体、１０…ＰＣカードスロット
【図１】
0005367245.tif 000002
【図２】
0005367245.tif 000003
【図３】
0005367245.tif 000004
【図４】
0005367245.tif 000005
【図５】
0005367245.tif 000006
【図６】
0005367245.tif 000007
【図７】
0005367245.tif 000008
【図８】
0005367245.tif 000009
【図９】
0005367245.tif 000010
【図１０】
0005367245.tif 000011
【図１１】
0005367245.tif 000012
【図１２】
0005367245.tif 000013